(57)【要約】【課題】眼科情報処理システムが使用される環境に応じた適切な情報を表示することが可能な仕組みを提供する。【解決手段】複数の眼科装置２０１及び２０２のそれぞれにおいて得られた被検眼の検査データを取得することが可能に構成された眼科情報処理システム１００において、眼科情報処理システム１００が使用されている環境を示す環境情報を記憶する記憶部１０３と、検査データを表示部１０６に表示する制御を行う表示制御部１０４を備え、表示制御部１０４は、環境情報に基づいて、複数の眼科装置２０１及び２０２のうちの特定の眼科装置に関する情報の表示を行わない。【選択図】図１
2020065719.tif 000002
【特許請求の範囲】
【請求項１】
複数の眼科装置のそれぞれにおいて得られた被検眼の検査データを取得することが可能に構成された眼科情報処理システムであって、
当該眼科情報処理システムが使用されている環境を示す環境情報を記憶する記憶手段と、
前記検査データを表示部に表示する制御を行う表示制御手段と
を有し、
前記表示制御手段は、前記環境情報に基づいて、前記複数の眼科装置のうちの特定の眼科装置に関する情報の前記表示を行わないことを特徴とする眼科情報処理システム。
【請求項２】
前記特定の眼科装置に関する情報は、前記特定の眼科装置において得られた前記検査データの情報であることを特徴とする請求項１に記載の眼科情報処理システム。
【請求項３】
前記特定の眼科装置に関する情報は、前記特定の眼科装置の機能に関する情報、または、前記特定の眼科装置において得られた前記検査データを処理する機能に関する情報であることを特徴とする請求項１に記載の眼科情報処理システム。
【請求項４】
前記検査データを取得する取得手段を更に有し、
前記取得手段は、前記環境情報に基づいて、前記特定の眼科装置において得られた前記検査データの前記取得を行わないことを特徴とする請求項１または２に記載の眼科情報処理システム。
【請求項５】
複数の眼科装置のそれぞれにおいて得られた被検眼の検査データを取得することが可能に構成された眼科情報処理システムであって、
前記検査データを取得する取得手段と、
当該眼科情報処理システムが使用されている環境を示す環境情報を記憶する記憶手段と
を有し、
前記取得手段は、前記環境情報に基づいて、前記複数の眼科装置のうちの特定の眼科装置において得られた前記検査データの前記取得を行わないことを特徴とする眼科情報処理システム。
【請求項６】
複数の眼科装置のそれぞれにおいて得られた被検眼の検査データを取得することが可能に構成された眼科情報処理システムによる眼科情報処理方法であって、
当該眼科情報処理システムが使用されている環境を示す環境情報を記憶する記憶ステップと、
前記検査データを表示部に表示する制御を行う表示制御ステップと
を有し、
前記表示制御ステップは、前記環境情報に基づいて、前記複数の眼科装置のうちの特定の眼科装置に関する情報の前記表示を行わないことを特徴とする眼科情報処理方法。
【請求項７】
複数の眼科装置のそれぞれにおいて得られた被検眼の検査データを取得することが可能に構成された眼科情報処理システムによる眼科情報処理方法であって、
前記検査データを取得するデータ取得ステップと、
当該眼科情報処理システムが使用されている環境を示す環境情報を記憶する記憶ステップと
を有し、
前記データ取得ステップは、前記環境情報に基づいて、前記複数の眼科装置のうちの特定の眼科装置において得られた前記検査データの前記取得を行わないことを特徴とする眼科情報処理方法。
【請求項８】
コンピュータを、請求項１乃至５のいずれか１項に記載の眼科情報処理システムの各手段として機能させるためのプログラム。
【発明の詳細な説明】
【技術分野】
【０００１】
本発明は、眼科情報処理システム、眼科情報処理方法及びプログラムに関するものである。
【背景技術】
【０００２】
近年では、眼科装置で得られた被検眼の撮影画像を含む検査データやその解析データをファイリングシステムに取り込んでデータベース等に保存し、保存されたデータを表示することで、診断に使用することが可能になっている。また、データの表示は、健診用の目的等に応じて表示レイアウトと表示項目を変更する方法が提案されている（例えば、特許文献１参照）。
【先行技術文献】
【特許文献】
【０００３】
【特許文献１】特開２０１６−１８７４７５号公報
【発明の概要】
【発明が解決しようとする課題】
【０００４】
医療機器である眼科装置は、販売地域毎の法規制に従って申請を行い、提供する内容が認可されなければならない。そのため、認可内容によっては、その地域毎で使用してはいけない機能等がある。その際、複数の眼科装置のそれぞれにおいて得られた検査データや解析データを扱うファイリングシステムである眼科情報処理システムでは、操作者が購入している眼科装置とそのシステムの法規申請の認可内容に応じて、表示できる内容を制限する必要がある。
【０００５】
本発明は、このような問題点に鑑みてなされたものであり、眼科情報処理システムが使用される環境に応じた適切な情報を表示することが可能な仕組みを提供することを目的とする。
【課題を解決するための手段】
【０００６】
本発明の眼科情報処理システムは、複数の眼科装置のそれぞれにおいて得られた被検眼の検査データを取得することが可能に構成された眼科情報処理システムであって、当該眼科情報処理システムが使用されている環境を示す環境情報を記憶する記憶手段と、前記検査データを表示部に表示する制御を行う表示制御手段とを有し、前記表示制御手段は、前記環境情報に基づいて、前記複数の眼科装置のうちの特定の眼科装置に関する情報の前記表示を行わない。
本発明の眼科情報処理システムにおける他の態様は、複数の眼科装置のそれぞれにおいて得られた被検眼の検査データを取得することが可能に構成された眼科情報処理システムであって、前記検査データを取得する取得手段と、当該眼科情報処理システムが使用されている環境を示す環境情報を記憶する記憶手段とを有し、前記取得手段は、前記環境情報に基づいて、前記複数の眼科装置のうちの特定の眼科装置において得られた前記検査データの前記取得を行わない。
また、本発明は、上述した眼科情報処理システムによる眼科情報処理方法、及び、上述した眼科情報処理システムの各手段としてコンピュータを機能させるためのプログラムを含む。
【発明の効果】
【０００７】
本発明によれば、眼科情報処理システムが使用される環境に応じた適切な情報を表示することが可能になる。
【図面の簡単な説明】
【０００８】
【図１】本発明の第１の実施形態に係る眼科情報処理システムの概略構成の一例を示すブロック図である。
【図２】本発明の第１の実施形態に係る眼科情報処理システムによる眼科情報処理方法の処理手順の一例を示すフローチャートである。
【図３】本発明の第２の実施形態を示し、図１の表示制御部によって表示部に表示される検査リスト表示画面の一例を示す図である。
【図４】本発明の第２の実施形態に係る眼科情報処理システムによる眼科情報処理方法の処理手順の一例を示すフローチャートである。
【図５】本発明の第３の実施形態を示し、図１の表示制御部によって表示部に表示されるオプション機能有効化画面の一例を示す図である。
【図６】本発明の第３の実施形態に係る眼科情報処理システムによる眼科情報処理方法の処理手順の一例を示すフローチャートである。
【図７】本発明の第４の実施形態を示し、表示する機能が制限されていない場合の表示画面の一例を示す図である。
【図８】本発明の第４の実施形態を示し、表示する機能が制限された場合の表示画面の一例を示す図である。
【図９】本発明の第４の実施形態を示し、表示する機能が制限されていない場合の表示画面と表示する機能が制限された場合の表示画面の一例を示す図である。
【発明を実施するための形態】
【０００９】
以下に、図面を参照しながら、本発明を実施するための形態（実施形態）について説明する。ただし、以下の実施形態で説明する構成要素の相対的な位置等は任意であり、本発明が適用されるシステム（装置）の構成や様々な条件に応じて適宜変更できる。また、図面において、同一であるかまたは機能的に類似している構成要素を示すために図面間で同じ参照符号を用いる。また、各図面において説明上重要ではない構成要素や処理の一部を省略して図示する場合がある。
【００１０】
＜第１の実施形態＞
まず、本発明の第１の実施形態について説明する。
【００１１】
（システムの構成）
図１は、本発明の第１の実施形態に係る眼科情報処理システム１００の概略構成の一例を示すブロック図である。本実施形態では、眼科情報処理システム１００は、使用される国、地域、及び、法規制等の使用環境に応じて、複数の眼科装置（２０１及び２０２）のうちの特定の眼科装置において得られた被検眼の検査データを取得しないようにするものである。なお、図１では、複数の眼科装置として、被検眼の眼底正面画像を撮影する眼底カメラ２０１と、被検眼の眼底の断層画像を撮影するＯＣＴ（Ｏｐｔｉｃａｌ  Ｃｏｈｅｒｅｎｃｅ  Ｔｏｍｏｇｒａｐｈｙ；光干渉断層計）装置２０２を適用した例を説明する。
【００１２】
眼科情報処理システム１００は、複数の眼科装置である眼底カメラ２０１及びＯＣＴ装置２０２のそれぞれにおいて得られた被検眼の検査データを取得することが可能に構成されたシステムである。この眼科情報処理システム１００は、１つの眼科情報処理装置として構成することも可能である。この眼科情報処理システム１００は、図１に示すように、検査データ取得部１０１、使用環境判定部１０２、記憶部１０３、表示制御部１０４、操作部１０５、及び、表示部１０６を有して構成されている。
【００１３】
検査データ取得部１０１は、眼底カメラ２０１やＯＣＴ装置２０２で得られた被検眼の検査データのファイルを取得する処理を行う。検査データ取得部１０１で取得する検査データは、例えば、患者の名前、生年月日、性別、患者ＩＤ、人種等の患者情報と、眼底カメラ２０１で得られた眼底画像（眼底正面画像）またはＯＣＴ装置２０２で得られた断層画像（例えば眼底断層画像）、その検査した検査日時、検査の種類、検査パラメータ、装置名等の検査情報と、が含まれており、１つの患者情報に対し少なくとも１つ以上の検査情報が関連づけられている。検査データ取得部１０１は、患者情報と検査情報のセットを読み込み、これを処理対象データである検査データとして取得する。
【００１４】
使用環境判定部１０２は、眼科情報処理システム１００が設置・使用される環境や制限情報を示す環境情報を取得し、取得した環境情報からその環境において制限される情報を判定により決定する。
【００１５】
記憶部１０３は、検査データ取得部１０１で取得した患者情報と検査情報のセットに係る検査データを登録し保持するとともに、使用環境判定部１０２で取得した環境情報を記憶する。その際、例えば検査データ取得部１０１または記憶部１０３は、既に保持している検査データの内容から、新しく取得した検査データに含まれる患者情報及び検査情報の保持方法を決定する。例えば、既に同じ患者情報の患者が記憶部１０３に登録されている場合には、当該既存患者の検査データの１つとして当該患者情報に関連付けて検査情報を登録する。また、例えば、記憶部１０３に患者情報が登録されていない新しい患者の場合には、この新しい患者情報と検査情報のセットを検査データとして登録する。
【００１６】
表示制御部１０４は、例えば操作者による操作部１０５の操作入力に基づいて、表示部１０６に各種の情報や各種のデータ等を表示する制御を行う。例えば、表示制御部１０４は、操作者による操作部１０５の操作入力に基づいて、記憶部１０３で保持している検査データに含まれる患者情報と検査情報を表示部１０６の画面内に表示する制御を行う。例えば、操作者が検査を選択する場合、表示制御部１０４は、記憶部１０３に保持されている全ての患者情報を取得し、表示部１０６に患者リストとして表示する制御を行う。そして、表示部１０６に表示された患者リストの中から、操作者が操作部１０５を介して１つの患者情報を指定すると、表示制御部１０４は、指定された患者情報に関連付けられている検査情報を記憶部１０３より取得し、表示部１０６に検査リストを表示する。そして、表示部１０６に表示された検査リストの中から、操作者が操作部１０５を介して検査情報を選択すると、表示制御部１０４は、選択した検査情報に含まれる撮影画像や解析データと、その撮影画像や解析データに対して使用できる機能を実行するためのボタン等を表示部１０６に表示させる。
【００１７】
操作部１０５は、操作者による操作入力を表示制御部１０４に対して行う。具体的に、例えば、操作部１０５は、表示制御部１０４が表示部１０６に表示した画面上で操作者が行った操作入力を表示制御部１０４に対して行う。例えば、表示部１０６に表示された検査リストから１つの検査情報を選択表示する場合、操作者は、まず、操作部１０５の１つであるマウスを動かすことで、表示部１０６上のカーソルを検査リスト内の１つの検査情報上に動かす。その後、操作者は、マウスのボタンをクリックすることで、表示制御部１０４にカーソルが位置する検査情報の選択を指示し、表示制御部１０４は、表示部１０６に選択された検査情報を表示する。
【００１８】
（第１の実施形態に係る検査データ取得フロー）
図２は、本発明の第１の実施形態に係る眼科情報処理システム１００による眼科情報処理方法の処理手順の一例を示すフローチャートである。具体的に、図２は、第１の実施形態の検査データ取得部１０１において、検査データの取得処理に係る処理手順の一例を示すフローチャートである。
【００１９】
眼科情報処理システム１００が使用されている地域や操作者が現在所有している眼科装置（２０１及び２０２）によっては、眼科情報処理システム１００が表示してはいけない検査データがある。そこで、第１の実施形態では、使用環境判定部１０２は、環境情報を取得し、取得した環境情報に基づいて、表示してはいけない取得不可の検査データを決定する。次いで、検査データ取得部１０１は、使用環境判定部１０２が決定した、表示してはいけない検査データの情報に応じて、表示してはいけない検査データを特定の眼科装置から取得しない形態を採る。これにより、眼科情報処理システム１００が使用される環境に応じた適切な情報を取得することができ、その結果、眼科情報処理システム１００が使用される環境に応じた適切な情報を表示することができる。
【００２０】
具体的に、図２を用いて以下に説明する。
まず、ステップＳ２１０において、例えば操作者が表示部１０６に表示された画面から操作部１０５を介して眼科情報処理システム１００が取得する検査データのファイルを選択操作入力すると、例えば検査データ取得部１０１は、これを検知する。ここで、例えば、操作者は、選択操作入力を行う際に、検査データのファイルを表示部１０６の画面上にドラッグ＆ドロップして選択する対象となる検査データのファイルを指定してもよい。
【００２１】
続いて、ステップＳ２２０において、使用環境判定部１０２は、眼科情報処理システム１００が設置・使用されている環境を示す環境情報を取得する。環境情報は、眼科情報処理システム１００が設置される際のシステム設定データの中に保存されており、使用環境判定部１０２は、このシステム設定データの中から環境情報に該当する設定の情報を読み込む。このシステム設定データは、例えば眼科情報処理システム１００を設置する際に設定される。例えば、眼科情報処理システム１００を設置するインストーラが環境設定毎に分かれており、設置者が設置先に合わせて設置環境用のインストーラを使用してインストールすることで、適切な環境情報を持つシステムを設置することができる。さらには、インストーラをダウンロードして設置する際に、ダウンロード要求元に合わせて適切なインストーラを送信することで、確実な環境情報の設定を行うことができる。なお、環境情報としては、眼科情報処理システム１００内のシステム設定データだけではなく、外側にある外部システムや眼科情報処理システム１００を取り囲む上位のシステムに保存されている情報を取得してもよい。例えば、眼科情報処理システム１００がＰＣのＯＳ内にインストールされている場合には、ＯＳのシステム設定で設定されている場所情報やＯＳの言語設定を環境情報として取得することもできる。他にも、システムがＧＰＳを持っている場合には、ＧＰＳの位置情報を環境情報とすることや、使用しているメールアドレスのドメインを環境情報としてもよい。
【００２２】
続いて、ステップＳ２３０において、使用環境判定部１０２は、ステップＳ２１０で取得した環境情報に基づいて、眼科情報処理システム１００が設置・使用されている環境で取得不可の検査データ（ここでは、取得不可の眼科装置の検査データ）を決定する。眼科情報処理システム１００は、例えば記憶部１０３に予めそれぞれの環境と取得不可の眼科装置の検査に関する環境制限情報を保持しており、使用環境判定部１０２は、取得した環境情報とこの環境制限情報を使って、取得不可の眼科装置の検査データを決定する。なお、環境情報そのものが取得不可の眼科装置を指定する情報である場合には、環境制限情報は使用せずに、環境情報から取得不可の眼科装置の検査データを直接決定することもできる。例えば、使用環境判定部１０２は、取得不可の眼科装置がＯＣＴ装置２０２の場合、環境情報としてＯＣＴフラグを用意し、ＯＣＴフラグがＯＦＦの時はＯＣＴ装置２０２の検査データを取得不可とし、環境制限情報を使用せずに取得不可の検査データを決定することもできる。
【００２３】
続いて、ステップＳ２４０において、検査データ取得部１０１は、ステップＳ２１０で選択された検査データに含まれる検査情報を参照し、どの眼科装置から取得された検査データであるかを示す装置情報（選択装置情報）を確認する。
【００２４】
続いて、ステップＳ２５０において、検査データ取得部１０１は、ステップＳ２４０で確認した選択装置情報に基づいて、当該選択装置情報に係る検査データが、ステップ２３０で決定した取得不可の眼科装置の検査データであるか否かを判断する。
【００２５】
ステップＳ２５０の判断の結果、ステップＳ２４０で確認した選択装置情報に係る検査データが、ステップ２３０で決定した取得不可の眼科装置の検査データでない場合には（Ｓ２５０／Ｎｏ）、ステップＳ２６０に進む。
ステップＳ２６０に進むと、検査データ取得部１０１は、ステップＳ２１０で選択された検査データを取得し、これを記憶部１０３に記憶して登録する。
【００２６】
ステップＳ２５０の判断の結果、ステップＳ２４０で確認した選択装置情報に係る検査データが、ステップ２３０で決定した取得不可の眼科装置の検査データである場合には（Ｓ２５０／Ｙｅｓ）、ステップＳ２７０に進む。
ステップＳ２７０に進むと、検査データ取得部１０１は、ステップＳ２１０で選択された検査データの取得は行わず、その旨を表示制御部１０４に通知する。そして、表示制御部１０４は、表示部１０６に、テップＳ２１０で選択された検査データが取得不可である旨を表示させる。
【００２７】
ステップＳ２６０の処理が終了した場合、或いは、ステップＳ２７０の処理が終了した場合には、図２のフローチャートの処理を終了する。
【００２８】
第１の実施形態に係る眼科情報処理システム１００では、眼科情報処理システム１００が特定の眼科装置の検査データの表示を行ってはいけない環境で設定・使用されている場合に、検査データ取得部１０１は、その環境を示す環境情報に基づいて、当該特定の眼科装置において得られた検査データの取得を行わないようにしている。
かかる構成によれば、眼科情報処理システム１００が設定・使用されている環境で表示を行ってはいけない特定の眼科装置の検査データの取得を行わないため、眼科情報処理システム１００が使用される環境に応じた適切な情報を表示することが可能になる。さらに、眼科情報処理システム１００が設定・使用されている環境で表示を行ってはいけない特定の検査データがある場合において、検査データの種類ごとに１つ１つ別のシステムを作製することなく、同じ１つのシステムにおいてその環境に応じた適切な情報を表示することができる。
【００２９】
なお、本実施形態では、選択した検査データが１つの眼科装置の検査のデータである場合を想定した例を示したが、２つ以上の眼科装置の検査を含む検査データであっても適用可能である。その場合、ステップＳ２５０での分岐は、それぞれの検査ごとに個別で実施し、各検査の装置情報に応じて、ステップＳ２６０の検査データの取得またはステップＳ２７０の取得不可通知を行う。その際、Ｓ２７０の取得不可通知は、検査単位ではなく、選択した検査データ内の全ての検査についてステップＳ２５０の判断を行った後に実施してもよい。
【００３０】
また、図２のフローチャートの説明では、操作者による操作部１０５で対象となる検査データを選択する例を示したが、本実施形態では、この態様に限定されるものではない。例えば、眼科情報処理システム１００において、予め指定された検査データ取得用のフォルダを監視し、当該フォルダに置かれた検査データを操作者による検査データとして選択する形態も、本実施形態に適用可能である。その際、ステップＳ２７０の取得不可通知は、ログへの記録をバックグラウンドで行い、操作者への画面上での通知は省略してもよい。
【００３１】
上述した第１の実施形態の処理により、眼科情報処理システム１００の環境に応じた適切な検査データを取得することができ、非常に好ましい。また、上述した第１の実施形態の処理により、環境ごとに適した処理を行うための画像情報処理システム用のソフトウエアプログラムを個別に作製する必要がないという効果がある。そのため、ソフトウエアプログラムのバージョンアップや、評価等が、個別にソフトウエアプログラムを作製した場合と比べて簡単に行うことができる。
【００３２】
＜第２の実施形態＞
次に、本発明の第２の実施形態について説明する。なお、以下に記載する第２の実施形態の説明では、上述した第１の実施形態と同様の事項については説明を省略し、上述した第１の実施形態と異なる事項について説明を行う。
【００３３】
第２の実施形態に係る眼科情報処理システムの概略構成は、図１に示す第１の実施形態に係る眼科情報処理システム１００の概略構成と同様である。第２の実施形態は、表示制御部１０４は、使用環境判定部１０２で取得した環境情報に基づいて、複数の眼科装置（２０１及び２０２）のうちの特定の眼科装置に関する情報の表示を行わない形態である。より具体的に、第２の実施形態では、上述した特定の眼科装置に関する情報は、特定の眼科装置において得られた検査データの情報である。
【００３４】
（第２の実施形態に係る検査リスト表示画面）
図３は、本発明の第２の実施形態を示し、図１の表示制御部１０４によって表示部１０６に表示される検査リスト表示画面の一例を示す図である。
【００３５】
具体的に、図３（ａ）は、眼科情報処理システム１００が設定・使用されている環境で眼底カメラ２０１及びＯＣＴ装置２０２の両装置の使用が可能である場合の検査リスト表示画面３０１である。即ち、図３（ａ）は、眼科情報処理システム１００が設定・使用されている環境で眼底カメラ２０１で得られた検査データ及びＯＣＴ装置２０２で得られた検査データの表示が可能である場合の検査リスト表示画面３０１である。
【００３６】
この検査リスト表示画面３０１は、図３（ａ）に示すように、メニュー表示領域３１０、患者情報入力領域３２０、患者リスト表示領域３３０、及び、検査リスト表示領域３４０を含み構成されている。
【００３７】
メニュー表示領域３１０は、メニューを表示する領域である。図３（ａ）に示すメニュー表示領域３１０には、患者メニュー３１１、ＯＣＴ撮影メニュー３１２、眼底撮影メニュー３１３、レポートメニュー３１４、設定メニュー３１５、及び、ログアウトメニュー３１６が示されている。また、図３（ａ）に示す検査リスト表示画面３０１では、下線が引かれている患者メニュー３１１が選択されている例を示している。また、この図３（ａ）に示す検査リスト表示画面３０１では、眼科情報処理システム１００の環境で眼底カメラ２０１及びＯＣＴ装置２０２で得られた検査データの表示が可能であるため、眼底撮影メニュー３１３及びＯＣＴ撮影メニュー３１２が表示されている。
【００３８】
患者情報入力領域３２０は、新規患者情報の登録や、患者リスト表示領域３３０に表示される患者を絞り込むための患者情報を入力することができる。具体的に、患者情報入力領域３２０には、患者ＩＤ、患者名、生年月日、性別、人種、受付番号、病名、コメントの入力欄が設けられている。
【００３９】
患者リスト表示領域３３０は、記憶部１０３に登録されている患者情報が患者リスト３３１として表示される領域である。患者リスト３３１の内容は、患者情報入力領域３２０で入力された内容に応じて絞り込まれて、該当する患者のみがリストとして表示される。患者リスト３３１は、操作者が操作部１０５の１つであるマウスを用いて患者情報を選択することができる。その際、選択された患者情報（選択患者情報）３３２は、選択状態となり、非選択状態とは異なる表現で表示される。
【００４０】
検査リスト表示領域３４０は、記憶部１０３に登録されている選択患者情報３３２の患者における検査情報が検査リスト３４１として表示される。検査リスト３４１は、１つの検査情報（検査情報３４２や検査情報３４３）を眼科装置や検査日単位でグルーピングして、グルーピングされた検査群をさらに検査時刻順、左右眼順に並べ替えて表示する。検査（検査情報３４２や検査情報３４３）は、検査の内容が分かるよう１検査データ内の代表の画像、受付番号、検査日時、左右眼、撮影モード名、検査内に登録されている画像枚数等の検査情報が表示される。図３（ａ）に示す検査リスト表示画面３０１では、ＯＣＴ装置２０２で得られた検査データに含まれる検査情報３４２と、眼底カメラ２０１で得られた検査データに含まれる検査情報３４３が示されている。この図３（ａ）の場合は、眼科情報処理システム１００の環境で眼底カメラ２０１及びＯＣＴ装置２０２で得られた検査データの表示が可能であるため、ＯＣＴ装置２０２に係る検査情報３４２及び眼底カメラ２０１に係る検査情報３４３が表示されている。
【００４１】
また、図３（ｂ）は、眼科情報処理システム１００が設定・使用されている環境でＯＣＴ装置２０２は使用できないが、眼底カメラ２０１は使用可能である場合の検査リスト表示画面３０２である。即ち、図３（ｂ）は、眼科情報処理システム１００が設定・使用されている環境でＯＣＴ装置２０２で得られた検査データの表示はできないが眼底カメラ２０１で得られた検査データの表示が可能である場合の検査リスト表示画面３０２である。
【００４２】
図３（ｂ）の検査リスト表示画面３０２において、図３（ａ）に示す検査リスト表示画面３０１の構成と同様の構成については同じ符号を付しており、その詳細な説明は省略する。この図３（ｂ）の場合は、眼科情報処理システム１００の環境でＯＣＴ装置２０２で得られた検査データの表示はできないが眼底カメラ２０１で得られた検査データの表示が可能であるため、図３（ｂ）の検査リスト表示画面３０２では、メニュー表示領域３１０においてＯＣＴ撮影メニュー３１２は表示されずに眼底撮影メニュー３１３が表示されている。同様の趣旨で、図３（ｂ）の検査リスト表示画面３０２では、検査リスト表示領域３４０の検査リスト３４１において、ＯＣＴ装置２０２に係る検査情報３４２は表示されずに眼底カメラ２０１に係る検査情報３４３が表示されている。
【００４３】
（第２の実施形態に係る検査リスト表示フロー）
図４は、本発明の第２の実施形態に係る眼科情報処理システム１００による眼科情報処理方法の処理手順の一例を示すフローチャートである。具体的に、図４は、第２の実施形態の表示制御部１０４において、検査リスト表示処理に係る処理手順の一例を示すフローチャートである。
【００４４】
眼科情報処理システム１００が使用されている国、地域、及び、法規制等や操作者が現在所有している眼科装置（２０１及び２０２）のライセンスされている機能等の環境情報（使用環境情報）によっては、表示してはいけない検査データがある。そこで、第２の実施形態では、使用環境判定部１０２は、使用環境の環境情報を取得し、取得した環境情報に基づいて、表示してはいけない検査データを決定（判定）する。次いで、表示制御部１０４は、使用環境判定部１０２が決定した、表示してはいけない検査データの情報に応じて、表示してはいけない検査データを検査リスト３４１として表示しない形態を採る。これにより、眼科情報処理システム１００が使用される環境に応じた適切な情報（検査リスト３４１に表示される検査情報）を表示することができる。
【００４５】
具体的に、図４を用いて以下に説明する。
まず、ステップＳ４１０において、表示制御部１０４は、記憶部１０３に登録されている患者情報を患者リスト３３１として表示する。この際、操作者は、患者情報入力領域３２０に患者情報を入力して、所望の患者の患者情報が見つけられるように絞り込みを行うことができる。
【００４６】
続いて、ステップＳ４２０において、操作者が患者リスト３３１に表示された患者情報の中から所望の患者情報を選択すると、表示制御部１０４は、当該選択に基づく患者情報の選択処理を行う。この際、患者リスト３３１のリスト内に患者情報が１つしかいない場合には、表示制御部１０４が自動的に患者情報を選択処理してもよい。
【００４７】
ステップＳ４３０において、使用環境判定部１０２は、眼科情報処理システム１００が設置・使用されている環境を示す環境情報を取得する。このステップＳ４３０の具体的な処理は、上述した図２のステップＳ２２０と同様であるため、説明を省略する。
【００４８】
ステップＳ４４０において、使用環境判定部１０２は、ステップＳ４３０で取得した環境情報に基づいて、眼科情報処理システム１００が設置・使用されている環境で表示不可の検査データ（ここでは、表示不可の眼科装置の検査データ）を決定する。
【００４９】
続いて、ステップＳ４５０において、表示制御部１０４は、ステップＳ４２０で選択された患者情報の検査リストを表示するため、記憶部１０３に対して当該選択された患者情報の取得要求を行う。この際、表示制御部１０４は、ステップＳ４４０で決定された表示不可の検査データの情報を使って、記憶部１０３に対して当該検査データ（ここでは、表示不可の眼科装置の検査データ）を除外するという取得条件を含めて要求する。
【００５０】
続いて、ステップＳ４６０において、記憶部１０３は、ステップＳ４５０で要求された検査データの取得条件を用いて、選択患者情報に係る検査データの中から表示してはいけない検査データを除外した検査データ群を表示制御部１０４に送信する。
【００５１】
続いて、ステップＳ４７０において、表示制御部１０４は、記憶部１０３から受信した検査データの検査情報を検査リスト３４１に並べて表示する制御を行う。上述した図３（ａ）は、除外される検査データ（除外される検査機能）がない場合の検査リスト表示画面３０１であり、ＯＣＴ装置２０２に係る検査情報３４２と眼底カメラ２０１に係る検査情報３４３が検査リスト３４１に並べられて表示されている。また、上述した図３（ｂ）は、ＯＣＴ装置２０２の検査データ（ＯＣＴ装置２０２の検査機能）が除外される場合の検査リスト表示画面３０２であり、検査リスト３４１の中で図３（ａ）では表示されていたＯＣＴ装置２０２に係る検査情報３４２の表示が除外された表示内容となっている。そして、ステップＳ４７０の処理が終了すると、図４のフローチャートの処理を終了する。
【００５２】
第２の実施形態に係る眼科情報処理システム１００では、眼科情報処理システム１００が特定の眼科装置の検査データの表示を行ってはいけない環境で設定・使用されている場合に、表示制御部１０４は、その環境を示す環境情報に基づいて、当該特定の眼科装置において得られた検査データの情報の表示を行わないようにしている。
かかる構成によれば、眼科情報処理システム１００が使用される環境に応じた適切な情報（検査リスト３４１に表示される検査情報）を表示することができる。即ち、眼科情報処理システム１００が使用される環境に応じて表示を行ってはいけない検査情報を除外した表示を行えるため、眼科情報処理システム１００が使用される環境に応じた適切な情報を表示することができる。
【００５３】
なお、本実施形態では、患者情報を選択して表示される検査リスト３４１の表示を制御する例を示したが、これに限定されるものではない。例えば、検査データ内の撮影画像や解析データを表示する画面において、既に表示されている検査データと並べて比較する検査データを選択する場合にも、候補となる検査データを選択させるための検査リストが表示される。このような検査リストにおいても、同様に、ステップＳ４３０以降の処理を実施することで検査リスト４３１から、表示を行ってはいけない検査情報を除外して表示することができる。
【００５４】
＜第３の実施形態＞
次に、本発明の第３の実施形態について説明する。なお、以下に記載する第３の実施形態の説明では、上述した第１及び第２の実施形態と同様の事項については説明を省略し、上述した第１及び第２の実施形態と異なる事項について説明を行う。
【００５５】
第３の実施形態に係る眼科情報処理システムの概略構成は、図１に示す第１の実施形態に係る眼科情報処理システム１００の概略構成と同様である。第３の実施形態は、表示制御部１０４は、使用環境判定部１０２で取得した環境情報に基づいて、複数の眼科装置（２０１及び２０２）のうちの特定の眼科装置に関する情報の表示を行わない形態である。より具体的に、第３の実施形態では、上述した特定の眼科装置に関する情報は、特定の眼科装置の機能に関する情報、または、特定の眼科装置において得られた検査データを処理する機能に関する情報である。
【００５６】
（第３の実施形態に係るオプション機能有効化画面）
図５は、本発明の第３の実施形態を示し、図１の表示制御部１０４によって表示部１０６に表示されるオプション機能有効化画面の一例を示す図である。
【００５７】
図５（ａ）に示すオプション機能有効化画面５０１には、オプション機能リスト５１０として、ＯＣＴＡ（ＯＣＴ  Ａｎｇｉｏｇｒａｐｈｙ）機能５１１、ＯＣＴＡ解析機能５１２及び眼底撮影機能５１３の全てのオプション機能が、眼科情報処理システム１００が設置・使用されている環境で使用可（表示可）である場合を示している。また、図５（ｂ）に示すオプション機能有効化画面５０２には、オプション機能リスト５１０として、ＯＣＴＡ機能５１１及び眼底撮影機能５１３のオプション機能が、眼科情報処理システム１００が設置・使用されている環境で使用可（表示可）である場合を示している。即ち、図５（ｂ）は、図５（ａ）に示すＯＣＴＡ解析機能５１２のオプション機能が、眼科情報処理システム１００が設置・使用されている環境で使用不可（表示不可）である場合を示している。ここで、本実施形態では、ＯＣＴＡ解析機能５１２は、例えば、特定の眼科装置であるＯＣＴ装置２０２において得られた検査データ（断層画像を含む）を処理する機能に関する情報に該当する。また、眼底撮影機能５１３は、例えば、特定の眼科装置である眼底カメラ２０１の機能（撮影機能）に関する情報に該当する。また、ＯＣＴＡ機能５１１は、ここでは、特定の眼科装置であるＯＣＴ装置２０２において得られた検査データ（断層画像を含む）を処理する機能に関する情報に該当するものとするが、本実施形態においてはこれに限定されるものではなく、例えば、ＯＣＴ装置２０２の機能に関する情報に該当するものとしてもよい。
【００５８】
本実施形態において、図５に示すオプション機能とは、ユーザーのライセンス購入によって有効化して使うことのできる機能を指す。また、各オプション機能（５１１〜５１３）は、初期状態では使用不可となっており、眼科情報処理システム１００上では機能が表示されないかまたは無効化されている。そして、このオプション機能は、ライセンスを登録することにより有効化され、眼科情報処理システム１００上で使用できるようになる。また、オプション機能には、トライアルモードがあり、一定期間だけライセンスの登録が無い状態で有効にすることができ、期間を過ぎるとまた無効の状態に戻り、操作者はオプション機能を使用できなくなる。
【００５９】
図５（ａ）に示すオプション機能有効化画面５０１及び図５（ｂ）に示すオプション機能有効化画面５０２には、オプション機能リスト５１０に加えて、トライアル開始ボタン５２０及び登録ボタン５３０が設けられている。オプション機能リスト５１０は、眼科情報処理システム１００上で使用可能にできるオプション機能のリストが、特定のボタンを押しながら電源をオンにする等の予め設定された、操作者には非開示の特定の操作に応じて表示される。
【００６０】
トライアル開始ボタン５２０は、オプション機能リスト５１０で選択されているオプション機能をトライアルとして一定期間有効化にできる。このトライアル開始ボタン５２０は、選択されているオプション機能が登録もトライアルも実施していない時のみ有効となる。
【００６１】
登録ボタン５３０は、オプション機能リスト５１０で選択されているオプション機能を有効化し継続して使用可能にできる。登録時には有効化するためのライセンスキーの入力画面が表示され、正しいライセンスキーが入力できた時のみ有効化することができる。この登録ボタン５３０は、選択されているオプション機能が登録済み以外の時有効となる。
【００６２】
（第３の実施形態に係る機能表示フロー）
図６は、本発明の第３の実施形態に係る眼科情報処理システム１００による眼科情報処理方法の処理手順の一例を示すフローチャートである。具体的に、図６は、第３の実施形態の表示制御部１０４において、オプション機能リスト表示処理に係る処理手順の一例を示すフローチャートである。
【００６３】
眼科情報処理システム１００が使用されている地域や操作者が現在所有している眼科装置（２０１及び２０２）によっては、システムが使用させてはいけない機能がある。そこで、第３の実施形態では、使用環境判定部１０２は、使用環境の環境情報を取得し、取得した環境情報に基づいて、表示してはいけない機能を決定（判定）する。次いで、表示制御部１０４は、使用環境判定部１０２が決定した、表示してはいけない機能の情報を応じて、表示してはいけないオプション機能をオプション機能リスト５１０として表示しない形態を採る。これにより、眼科情報処理システム１００が使用される環境に応じた適切な情報（使用可能な、眼科装置の機能または眼科装置において得られた検査データを処理する機能に関する情報）を表示することができる。換言すれば、眼科情報処理システム１００の環境に応じて操作者が使用不可のオプション機能に関する情報を表示しないようにすることができる。
【００６４】
具体的に、図６を用いて以下に説明する。
まず、ステップＳ６１０において、表示制御部１０４が図５に示すオプション機能有効化画面を表示する前に、使用環境判定部１０２は、眼科情報処理システム１００が設置・使用されている環境を示す環境情報を取得する。このステップＳ６１０の詳細な処理は、図２のステップＳ２２０の処理と同様であるため、説明を省略する。
【００６５】
続いて、ステップＳ６２０において、使用環境判定部１０２は、ステップＳ６１０で取得した環境情報に基づいて、眼科情報処理システム１００が設置・使用されている環境で使用してはいけない機能を表示不可機能として決定する。眼科情報処理システム１００は、例えば記憶部１０３に予めそれぞれの環境と使用してはいけない機能との対応に関する環境制限情報を保持しており、使用環境判定部１０２は、取得した環境情報とこの環境制限情報を使って、表示不可機能を決定する。なお、環境情報そのものがどの機能を使用してはいけないかを指定する場合には、環境制限情報は使用せずに、環境情報のみから表示不可機能を決定することもできる。例えば、図５（ａ）に示すＯＣＴＡ解析機能５１２を使用不可にする環境情報の場合、ＯＣＴＡ解析フラグを用意し、ＯＣＴＡ解析フラグがＯＦＦの時にはＯＣＴＡ解析機能５１２を表示不可機能として決定する。
【００６６】
続いて、ステップ６３０において、表示制御部１０４は、ステップ６２０で取得した表示不可機能の情報に基づいて、オプション機能リスト５１０の表示内容を構築する。図５（ａ）は全てのオプション機能（５１１〜５１３）が表示された場合の画面であって、全てのオプション機能（５１１〜５１３）が使用可であるために表示されている場合を示している。図５（ｂ）は、例えば、ステップＳ６２０でＯＣＴＡ解析機能５１２が使用不可であるために表示不可機能とされた場合に、オプション機能リスト５１０を構築した例を示している。
【００６７】
続いて、ステップ６４０において、表示制御部１０４は、ステップ６３０で構築したオプション機能リスト５１０を含むオプション機能有効化画面５０２を表示部１０６に表示する。そして、ステップＳ６４０が終了すると、図６のフローチャートの処理を終了する。
【００６８】
第３の実施形態に係る眼科情報処理システム１００では、眼科情報処理システム１００が特定の機能の使用を行ってはいけない環境において、表示制御部１０４は、その環境を示す環境情報に基づいて、当該機能に関する情報の表示を行わないようにしている。
かかる構成によれば、眼科情報処理システム１００が使用される環境に応じた適切な情報（当該環境において使用可能な機能に関する情報）を表示することができる。換言すれば、眼科情報処理システム１００の環境で使用不可の機能に関する情報を表示しないようにすることができる。
【００６９】
なお、本実施形態では、機能の有効化を実施するオプション機能リスト画面において、使用不可のオプション機能を非表示にしたが、操作者が機能を実際に使用する画面において当該機能を使用するための表示を非表示にすることでも適用可能である。例えば、使用不可の機能がボタンによって使用される場合、表示制御部１０４が画面の表示時に当該ボタンを非表示にすることで、操作者が機能を使用できないようにできる。
【００７０】
また、本実施形態では、表示制御部１０４が機能を非表示にすることで、操作者が機能を使用できないようにしたが、これに限定されない。機能が表示される領域を残したまま『使用不可』といった文字をその領域に表示することで、操作者に機能を使用させないと同時に、操作者に使用できないことを通知することが可能となる。
【００７１】
＜第４の実施形態＞
次に、本発明の第４の実施形態について説明する。なお、以下に記載する第４の実施形態の説明では、上述した第１〜第３の実施形態と同様の事項については説明を省略し、上述した第１〜第３の実施形態と異なる事項について説明を行う。
【００７２】
第４の実施形態に係る眼科情報処理システムの概略構成は、図１に示す第１の実施形態に係る眼科情報処理システム１００の概略構成と同様である。具体的に、第４の実施形態では、上述した第１〜第３の実施形態に適用可能な表示画面の形態である。
【００７３】
図７は、本発明の第４の実施形態を示し、表示する機能が制限されていない場合の表示画面７０１の一例を示す図である。この図７は、例えば、図３（ａ）において患者リストから患者名が選択された後にＯＣＴ撮影メニュー７１２が選択された際の表示画面７０１である。具体的に、表示画面７０１は、メニュー表示領域７１０、及び、検査データ表示領域７２０を含み構成されている。メニュー表示領域７１０は、図３（ａ）と同様に、患者メニュー７１１、ＯＣＴ撮影メニュー７１２、眼底撮影メニュー７１３、レポートメニュー７１４、設定メニュー７１５、及び、ログアウトメニュー７１６が示されている。検査データ表示領域７２０は、ＯＣＴ装置２０２で得られた検査データを表示する領域である。この図７は、機能等の制限がない場合の表示例であり、図３（ａ）と同様に、ＯＣＴ撮影メニュー７１２及び眼底撮影メニュー７１３が表示されている。
【００７４】
図８は、本発明の第４の実施形態を示し、表示する機能が制限された場合の表示画面７０２の一例を示す図である。この図８において、図７に示す構成と同様の構成については同じ符号を付しており、その詳細な説明は省略する。
【００７５】
具体的に、図８（ａ）は、ＯＣＴ撮影機能が制限された場合の表示画面７０２−１の一例を示し、このため、図７に示すＯＣＴ撮影メニュー７１２が表示されていない。また、この表示画面７０２−１は、眼底撮影メニュー７１３が選択されて、眼底カメラ２０１で得られた検査データを表示する検査データ表示領域７３０が示されている。
【００７６】
また、図８（ｂ）は、眼底カメラ機能が制限された場合の表示画面７０２−２の一例を示し、このため、図７に示す眼底撮影メニュー７１３が表示されていない。また、この表示画面７０２−２は、ＯＣＴ撮影メニュー７１２が選択されて、ＯＣＴ装置２０２で得られた検査データを表示する検査データ表示領域７２０が示されている。
【００７７】
図９は、本発明の第４の実施形態を示し、表示する機能が制限されていない場合の表示画面９０１と表示する機能が制限された場合の表示画面９０２の一例を示す図である。この図９（ａ）及び図９（ｂ）は、例えば、図７の画面が表示されている状態で、レポートメニュー７１４のタブが指示されたときに表示される表示画面の例である。この図９（ａ）に示す表示画面９０１及び図９（ｂ）に示す表示画面９０２には、ともに、図７のメニュー表示領域７１０に対応するメニュー表示領域９１０、及び、レポートメニュー９１４に係るデータの表示領域９２０を含み構成されている。具体的に、図９（ａ）は、ＯＣＴＡ解析機能がラインセンスされている場合の表示例であり、図９（ｂ）は、ＯＣＴＡ解析機能がライセンスされていない場合の表示例を示す。
【００７８】
図９（ａ）の機能表示領域９２１には、選択可能なＯＣＴＡ解析機能の情報９２１ａが表示される。これに対して、図９（ｂ）の機能表示領域９２１には、ライセンスされていないため、ＯＣＴＡ解析機能の情報９２１ａが表示されていない。このように表示を行うことにより、眼科情報処理システム１００の使用環境に応じて、適切な情報の表示を行うことができる。そのために、操作者が操作に迷うことを抑えることができる。
【００７９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００８０】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００８１】
１００：眼科情報処理システム、１０１：検査データ取得部、１０２：使用環境判定部、１０３：記憶部、１０４：表示制御部、１０５：操作部、１０６：表示部、２０１：眼底カメラ、２０２：ＯＣＴ装置
【図１】
2020065719.tif 000003
【図２】
2020065719.tif 000004
【図３】
2020065719.tif 000005
【図４】
2020065719.tif 000006
【図５】
2020065719.tif 000007
【図６】
2020065719.tif 000008
【図７】
2020065719.tif 000009
【図８】
2020065719.tif 000010
【図９】
2020065719.tif 000011